(57)【特許請求の範囲】
【請求項１】
発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光がそれぞれ入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１レンズアレイ板からの光が入射する第２レンズアレイ板とを備え、
前記第2レンズアレイ板を構成する複数のレンズは、長軸と短軸を有する矩形状であり、
前記複数の発光体の像が、前記第2レンズアレイ板を構成する前記複数のレンズの同一開口上において、前記長軸方向に形成されることを特徴とする照明装置。
【請求項２】
発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光が入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１のレンズアレイ板からの光が入射する第２レンズアレイ板と、
前記第２レンズアレイ板からの光が入射し自然光を偏光方向が直交する２つの直線偏光に分離する偏光分離手段と、
前記偏光分離手段からの光が入射し前記２つの直線偏光のうち少なくともいずれか一方の偏光方向を回転する偏光回転手段とを備え、
前記第2レンズアレイ板を構成する複数のレンズは、長軸と短軸を有する矩形状であり、
前記複数の発光体の像が、前記第2レンズアレイ板を構成する前記複数のレンズの同一開口上において、前記長軸方向に形成されることを特徴とする照明装置。
【請求項３】
前記複数の発光体は２つの発光体であり、
前記第2レンズを構成する複数のレンズは、長軸と短軸を有する矩形状であり、
前記２つの発光体の像が、前記複数のレンズの同一開口上において、前記長軸方向に形成されることを特徴とする請求項１または２記載の照明装置。
【請求項４】
前記集光手段は、一枚の球面または非球面レンズにより構成されており、
有効径の光軸近傍部から周辺部に沿って前記入射光の光束密度が小さくなるように制御することであることを特徴とする請求項１または２記載の照明装置。
【請求項５】
前記集光手段は、入力側レンズと出力側レンズにより構成されており、前記入力側レンズは有効径の周辺部について正のパワーを有すると共に光軸近傍部について周辺部よりも緩やかなパワーを有し、前記出力側レンズは有効径の光軸近傍部について正のパワーを有するとともに周辺部について光軸近傍部よりも緩やかなパワーを有し、
有効径の光軸近傍部から周辺部に沿って前記入射光の光束密度が実質上均一になるように制御されることを特徴とする請求項１または２記載の照明装置。
【請求項６】
前記入力側レンズと前記出力側レンズの間に光路を折り曲げる平面ミラーを配置したことを特徴とする請求項５記載の照明装置。
【請求項７】
前記凹面鏡と前記反射手段の間に光路を折り曲げる平面ミラーを配置したことを特徴とする請求項１または２記載の照明装置。
【請求項８】
前記平面ミラーは、赤外光を透過し可視光を反射するコールドミラーであることを特徴とする請求項６または７記載の照明装置。
【請求項９】
前記反射手段は、複数の発光体と同数の反射面を備えた反射プリズムであることを特徴とする請求項１または２記載の照明装置。
【請求項１０】
前記反射プリズムの反射面に、アルミニウム膜または誘電体多層膜が蒸着されていることを特徴とする請求項９記載の照明装置。
【請求項１１】
前記反射手段は全反射面を備えた直角プリズムであることを特徴とする請求項１または２記載の照明装置。
【請求項１２】
前記直角プリズムは石英ガラス製である請求項１１記載の照明装置。
【請求項１３】
前記偏光分離手段は、複数の偏光分離プリズムを被照明領域の短軸方向に配列してなる偏光分離プリズムアレイである請求項２記載の照明装置。
【請求項１４】
照明光を形成する請求項１又は２記載の照明装置と、
前記照明装置からの光が入射し、映像信号に応じて光学像を形成する１つの画像形成手段と、
前記画像形成手段上に形成された光学像をスクリーン上に投写する投写手段と、
を備えたことを特徴とする投写型表示装置。
【請求項１５】
照明光としての白色光を形成する請求項１又は２記載の照明装置と、
前記照明装置からの白色光を赤、緑、青の色成分の光に分離する色分離手段と、
前記色分離手段からの各色光が入射し、映像信号に応じて光学像を形成する３つの画像形成手段と、
前記画像形成手段から出射する赤、緑、青の色光を合成する色合成手段と、
前記画像形成手段上に形成された光学像をスクリーン上に投写する投写手段と、
を備えたことを特徴とする投写型表示装置。
【発明の詳細な説明】
【０００１】
【産業上の利用分野】
本発明は、例えば画像形成手段を照明するために用いることができる照明装置と、画像形成手段上に形成される光学像を投写レンズによりスクリーン上に投写することのできる投写型表示装置に関するものである。
【０００２】
【従来の技術】
従来、大画面映像を表示する方法の１つとして、映像信号に応じた光学像を形成する小型の画像形成手段を光で照明し、その光学像を投写レンズにより拡大投写する投写型表示装置が知られ、画像形成手段として液晶パネルを用いた投写型表示装置が実用化されている。このような投写型表示装置では、投写画像の高輝度化に対する要望が高く、複数の光源を用いた投写型表示装置が開示されている（例えば、特開平６−２６５８８７号公報）。
【０００３】
図２３は、複数の発光体と透過型の液晶パネルを用いた従来の投写型表示装置の構成例である。発光体である２つのランプ１、２から放射される光はそれぞれ凹面鏡３、４により集光され、凹面鏡３、４からは略平行光が出射される。
【０００４】
ランプ１、２には発光効率と色再現性に優れたメタルハライドランプが主として用いられる。他に、ハロゲンランプ、キセノンランプ、超高圧水銀ランプ、等を用いることができる。また、凹面鏡３、４には主として放物面鏡や楕円面鏡が用いられる。
【０００５】
ＵＶ−ＩＲカットフィルタ５、６は凹面鏡３、４の出射光から紫外線、赤外線を取り除くために用いられる。第１レンズアレイ７、８、第２レンズアレイ９、１０は、それぞれ同数で対をなす複数のレンズを二次元状に配列して構成される。第１レンズアレイ７、８上の各レンズは矩形であり、入射光束を多数の微小光束に分割し、第２レンズアレイ９、１０上の対応する各レンズに収束させる。この時、第２レンズアレイ９、１０上の各レンズには多数の微小な発光体像が形成される。第２レンズアレイ９、１０上の各レンズは、各微小光束を拡大し、液晶パネル２１、２２、２３上に重畳結像させる。第１レンズアレイ７、８は入射光束を微小光束に分割し、それらを第２レンズアレイ９、１０で拡大、重畳するので、液晶パネル２１、２２、２３を照明する光の均一性を大幅に向上できる利点がある。
【０００６】
第２レンズアレイ９、１０を出射した光はダイクロイックミラー１１、１２により赤、緑、青の３原色光に分離された後、各色に対応する液晶パネル２１、２２、２３に入射する。リレーレンズ１３、１４は、第２レンズアレイ９、１０から液晶パネル２１、２２、２３に至る距離である照明光路長の違いによる照明光の強度差を補正している。また、各色の光路を折り曲げるために平面ミラー１５、１６、１７を配置している。フィールドレンズ１８、１９、２０はそれぞれ液晶パネル２１、２２、２３に入射する照明光を投写レンズ２５の瞳面２６に集光する。液晶パネル２１、２２、２３上には透過率の変化として光学像が形成され液晶パネル２１、２２、２３から出射した赤、緑、青の３原色光は、ダイクロイックプリズム２４により合成された後、投写レンズ２５に入射する。投写レンズ２５は、液晶パネル２１、２２、２３上に形成された光学像をスクリーン（図示せず）上に拡大投写する。
【０００７】
凹面鏡３、４の背面近傍に配置されたファン２７、２８は、ランプ１、２及び凹面鏡３、４の冷却を行うために用いられる。この種のファンには、軸流ファンが広く用いられている。ファン２７、２８は、凹面鏡３、４の上面、底面、或いは側面部に配置しても良いが、ランプ１、２、凹面鏡３、４はそれぞれ光軸２９、３０に対して回転対称形であるため、それらの温度分布にかたよりを生じる。それ故、冷却を効率良く行うためにファン２７、２８を凹面鏡３、４の背面近傍に配置している。
【０００８】
上記構成によれば、液晶パネルを複数のランプで照明するため、明るい投写型表示装置が構成できる。
【０００９】
【発明が解決しようとする課題】
投写画像表示装置において投写画像の明るさを向上させるためには、ランプの消費電力を大きくすれば良い。しかし、十分なランプ寿命を確保しつつ、消費電力を大きくすると、発光体の形状が長く、太くなり、光学系の光利用効率が低下するという問題がある。
【００１０】
図２３に示した、従来の投写型表示装置は、比較的消費電力の小さい複数のランプを用いて上記問題を改善し、投写型表示装置の明るさを効率良く向上したものである。
【００１１】
しかしながら、図２３に示した様な従来の構成では、投写レンズの光軸３１を挟んで２つのランプ１、２とそれぞれに対応した凹面鏡３、４、第１レンズアレイ７、８、第２レンズアレイ９、１０が配置されているため、次の様な課題を有していた。
【００１２】
即ち、図２４は、図２３に示す構成において、投写レンズ２５の瞳面２６に形成される発光体像３２、３３の様子を模式的に示したものである。図中、破線は第２レンズアレイの外形を示す仮想線である。投写レンズ２５の瞳面２６には、投写レンズ２５の光軸３１を挟んで、各々のランプ１、２に対応する発光体像３２、３３が形成されることになる。一般に、投写レンズ２５には、口径触があり、スクリーン上で、中心の照度に対して周辺の照度が低下する。これは、投写レンズ２５の瞳面２６での発光体像３２、３３が口径触によりケラレを生じるためである。それ故、図２３のように光軸３１を挟んで配置される２つのランプ１、２の発光特性が異なる場合には、スクリーン周辺部の明るさに寄与する発光体像が異なるため、スクリーン上で投写画像の色むらを生じる。また、いずれかのランプが不点灯になった場合、スクリーン上での照度分布が不均一になるという課題があった。
【００１３】
さらに、図２３に示す構成において、３原色の中の１つの色光については、光路中にリレーレンズ１３、１４を配置して照明光を液晶パネル２３に導いており、投写レンズ２５の瞳面２６に形成される発光体像が光軸３１に対して反転する。従って、２つのランプ１、２の発光特性が少しでも異なれば、投写レンズ２５の口径触により、発光体像のケラレの様相が一色だけ異なり、結果として、スクリーン上で投写画像に大きな色むらを生じるという課題が発生していた。従って、複数のランプを用いて投写型表示装置を構成する場合、投写レンズの瞳面に形成される各ランプの発光体像が光軸に対してできるだけ対称であることが必要であった。
【００１４】
また、図２３に示す構成では、複数のランプに対応して第１レンズアレイおよび第２レンズアレイが必要であったため、コスト高になるという課題があった。
【００１５】
さらに、第２レンズアレイの有効開口の大きさがランプの数に応じて大きくなり、投写レンズには非常に大きな集光角が要求されていた。集光角の増大は、投写レンズの大型化を招きコストアップにつながる、という課題があった。照明する光の照射角を小さくするために照明光路長を長くとればよいが、第２レンズアレイと液晶パネルとの間隔が長くなり、投写型表示装置全体が大型化する、という課題があった。
【００１６】
本発明は、このような従来の装置の上記課題を鑑みてなされたものであり、複数のランプを用いた場合であっても、各ランプの放射光を効率良く集光し、均一性の高い照明光を形成することのできる照明装置を提供することを目的とする。また、この照明装置を用いて明るく、高画質な投写画像を表示することのできる投写型表示装置を提供することを目的とする。さらに、複数のランプを効率良く冷却し、ランプ交換を容易に行うことのできる投写型表示装置を提供することを目的とする。
【００１７】
【課題を解決するための手段】
上記課題を解決するため、本発明の証明装置は、発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光がそれぞれ入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１レンズアレイ板からの光が入射する第２レンズアレイ板とを備え、
前記第2レンズアレイ板を構成する複数のレンズは、長軸と短軸を有する矩形状であり、
前記複数の発光体の像が、前記第2レンズアレイ板を構成する前記複数のレンズの同一開口上において、前記長軸方向に形成されることを特徴とする照明装置である。
【００１８】
又、本発明の照明装置は、発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光が入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１のレンズアレイ板からの光が入射する第２レンズアレイ板と、
前記第２レンズアレイ板からの光が入射し自然光を偏光方向が直交する２つの直線偏光に分離する偏光分離手段と、
前記偏光分離手段からの光が入射し前記２つの直線偏光のうち少なくともいずれか一方の偏光方向を回転する偏光回転手段とを備え、
前記第2レンズアレイ板を構成する複数のレンズは、長軸と短軸を有する矩形状であり、
前記複数の発光体の像が、前記第2レンズアレイ板を構成する前記複数のレンズの同一開口上において、前記長軸方向に形成されることを特徴とする照明装置である。
【００１９】
又、本発明の照明装置は、上記複数の発光体は２つの発光体であり、
前記第2レンズを構成する複数のレンズは、長軸と短軸を有する矩形状であり、
前記２つの発光体の像が、前記複数のレンズの同一開口上において、前記長軸方向に形成される照明装置である。
又、本発明の照明装置は、上記集光手段は、一枚の球面または非球面レンズにより構成されており、
有効径の光軸近傍部から周辺部に沿って前記入射光の光束密度が小さくなるように制御することである照明装置である。
【００２０】
又、本発明の照明装置は、上記集光手段が、入力側レンズと出力側レンズにより構成されており、前記入力側レンズは有効径の周辺部について正のパワーを有すると共に光軸近傍部について周辺部よりも緩やかなパワーを有し、前記出力側レンズは有効径の光軸近傍部について正のパワーを有するとともに周辺部について光軸近傍部よりも緩やかなパワーを有し、
有効径の光軸近傍部から周辺部に沿って前記入射光の光束密度が実質上均一になるように制御される照明装置である。
【００２１】
又、本発明の照明装置は、上記入力側レンズと前記出力側レンズの間に光路を折り曲げる平面ミラーを配置した照明装置である。
【００２２】
又、本発明の照明装置は、上記凹面鏡と前記反射手段の間に光路を折り曲げる平面ミラーを配置した照明装置である。
【００２３】
又、本発明の照明装置は、上記平面ミラーが、赤外光を透過し可視光を反射するコールドミラーである照明装置である。
【００２４】
又、本発明の照明装置は、上記反射手段が、複数の発光体と同数の反射面を備えた反射プリズムである照明装置である。
【００２５】
又、本発明の照明装置は、上記反射プリズムの反射面に、アルミニウム膜または誘電体多層膜が蒸着されている照明装置である。
【００２６】
又、本発明の照明装置は、上記反射手段は全反射面を備えた直角プリズムである照明装置である。
【００２７】
又、本発明の照明装置は、上記直角プリズムは石英ガラス製である照明装置である。
【００２９】
又、本発明の照明装置は、上記偏光分離手段が、複数の偏光分離プリズムを被照明領域の短軸方向に配列してなる偏光分離プリズムアレイである照明装置である。
【００３０】
又、本発明の投写型表示装置は、照明光を形成する上記照明装置と、
前記照明装置からの光が入射し、映像信号に応じて光学像を形成する１つの画像形成手段と、
前記画像形成手段上に形成された光学像をスクリーン上に投写する投写手段と、
を備えた投写型表示装置である。
【００３１】
又、本発明の投写型表示装置は、照明光としての白色光を形成する上記照明装置と、
前記照明装置からの白色光を赤、緑、青の色成分の光に分離する色分離手段と、
前記色分離手段からの各色光が入射し、映像信号に応じて光学像を形成する３つの画像形成手段と、
前記画像形成手段から出射する赤、緑、青の色光を合成する色合成手段と、
前記画像形成手段上に形成された光学像をスクリーン上に投写する投写手段と、
を備えた投写型表示装置である。
【００３２】
尚、本発明に関連する技術の投写型表示装置に係る発明は、一対の発光体と凹面鏡から構成される複数の光源と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々が前記複数の光源と同数で対をなす第１の固定手段により固定されており、
前記第１の固定手段は、各々が第２の固定手段に脱着が可能であり、
前記第２の固定手段は、上記筐体内に取り付けられた第３の固定手段に脱着が可能である投写型表示装置である。
【００３３】
又、本発明に関連する技術の投写型表示装置に係る発明は、一対の発光体と凹面鏡から構成される複数の光源と、
前記複数の光源を冷却するための冷却手段と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々の光軸がおよそ平行となるように配置されており、
前記冷却手段は、上記複数の光源の配列方向に所望の長さの回転軸を有し、前記回転軸の周りに複数の送風羽ねを備えた投写型表示装置である。
【００３４】
又、本発明に関連する技術の投写型表示装置に係る発明は、上記冷却手段が、クロスフローファンである投写型表示装置である。
【００３５】
【発明の実施の形態】
以下、本発明の照明装置および投写型表示装置に対する実施の形態について、図面を参照ながら説明する。
（照明装置の実施の形態１）
図１（ａ）、図１（ｂ）は、本発明にかかる照明装置の第１の実施の形態を示す構成例である。尚、図１（ｂ）は、図１（ａ）に示す反射プリズム４８の拡大図である。
【００３６】
本発明の照明装置は、例えば、画素構造を備えた液晶パネルを照明するための光を形成するものとする。
【００３７】
図１（ａ）、図１（ｂ）において、４０、４１は放電ランプ、４２、４３は楕円面鏡、４４、４５はＵＶ−ＩＲカットフィルタ、４６、４７は平面ミラー、４８は反射プリズム、４９は二次光源、５０は集光レンズ、５１は第１レンズアレイ、５２は第２レンズアレイ、５３はビーム合成レンズ、５４はフィールドレンズ、５５は液晶パネル、５６は投写レンズ、５７は投写レンズの瞳面である。
【００３８】
放電ランプ４０、４１は、メタルハライドランプ、超高圧水銀ランプ、キセノンランプ等を用いることができ、アーク放電による発光体４０ａ、４１ａが形成される。発光体４０ａ、４０ｂから放射される光はそれぞれ対応する楕円面鏡４２、４３により集光し、ＵＶ−ＩＲカットフィルタ４４、４５で紫外光、赤外光成分を除去した後、平面ミラー４６、４７で光路を折り曲げる。この時、楕円面鏡４２、４３の第１焦点は発光体４０ａ、４１ａの重心近傍に配置し、第２焦点は反射プリズム４８の反射面４８ａ近傍に配置する。これにより、反射プリズム４８の反射面４８ａ近傍には、発光体４０ａ、４１ａの像４０ｂ、４１ｂによる二次光源４９を形成することができる。それ故、以下の光学系では本来離れた位置にある発光体４０ａ、４１ａから放射される光を、二次光源４９から放射される光として取り扱うことができる。
【００３９】
反射プリズムの反射面は、アルミニウム膜または誘電体多層膜が蒸着されており、可視光を効率良く反射する。
【００４０】
二次光源４９から放射される光は発散光であり集光レンズ５０に入射する。図２を用いて集光レンズ５０の作用を説明する。集光レンズ５０は例えば、非球面の両凸レンズを用いる。図２は、集光レンズ５０における、入射光束の進行方向の制御の仕方を説明するための概念図である。
【００４１】
集光レンズ５０は、入射光を略平行光に変換する。ここで、集光レンズ５０における、上記制御の仕方の概念を分かりやすく説明するために、図２に示す様に、便宜上、出射光束の断面を４つの領域に分割した図を用いる。
【００４２】
同図に示す通り、入射光束の各領域における光束密度をＳ１、Ｓ２、Ｓ３、Ｓ４、出射光束の各領域における光束密度をＳＳ１、ＳＳ２、ＳＳ３、ＳＳ４とすると、集光レンズ５０は、例えば、Ｓ１＜ＳＳ１、Ｓ２＜ＳＳ２、Ｓ３＝ＳＳ３、Ｓ４＞ＳＳ４であり、さらにＳＳ１＞ＳＳ２＞ＳＳ３＞ＳＳ４となるように入射光束の進行方向を制御して出射させる。
【００４３】
これにより集光レンズ５０からは、光軸５８から離れるほど光束密度が小さくなる平行光束が出射する。
【００４４】
集光レンズ５０からの平行光束は、複数のレンズで構成した第１レンズアレイ５１に入射し、多数の微小光束に分割する。図３は、第１レンズアレイの構成例を示す。複数の矩形レンズを二次元状に配列して構成し、各矩形レンズの形状は、被照明領域である液晶パネル５５と相似形状とする。
【００４５】
多数の微小光束は、それぞれ複数のレンズで構成した第２レンズアレイ５２の対応するレンズ上に収束する。第２レンズアレイ５２上には、発光体４０ａ、４１ａによる多数の像が形成される。第２レンズアレイ５２は、例えば第１レンズアレイ５１と同一の形状とすれば良い。
【００４６】
図４は、第２レンズアレイ５２の出射面側から見た発光体像の様子を模式的に示したもので、各矩形レンズには、発光体４０ａ、４１ａに対応する２つの発光体像４０ｃ、４１ｃが形成される。尚、図４では、発光体４０ａに対応する発光体像４０ｃには斜線を施し、発光体像４１ｃには、斜線を施すことなく、双方を区別した。
【００４７】
集光レンズ５０の作用により第１レンズアレイ５１の入射光束の密度は、光軸５８から離れるほど小さくなるので、発光体像４０ｃ、４１ｃの大きさも、光軸５８から離れるほど小さくなる。
【００４８】
第２レンズアレイ５２の各矩形レンズは、対応する第１レンズアレイ５１の矩形レンズ面に入射した微小光束を拡大し、液晶パネル面５５を照明する。ビーム合成レンズ５３は、第２レンズアレイ５２の各矩形レンズから出射した光を液晶パネル５５上で重ね合わせるために用いている。
【００４９】
第１レンズアレイ５１の入射光束を多数の微小光束に分割し、それらを拡大して液晶パネル５５上で重ね合わせるので、液晶パネル５５上を均一良く照明することができる。さらに、発光体４０、４１を液晶パネル５５の長軸と光軸５８を含む平面に対しておよそ平行な平面内に配置し、第２レンズアレイ５２の各矩形レンズの長軸方向に発光体４０、４１の像を形成することにより、各矩形レンズ上に効率良く発光体像を配列できる。これにより、複数のランプを用いた場合であっても、高効率な照明を実現できる。
【００５０】
フィールドレンズ５４は、液晶パネル５５上を照明する光を投写レンズ５６の瞳面５７に集光するためのものである。投写レンズ５５は、液晶パネル５５上に形成される光学像をスクリーン（図示せず）上に投写する。
【００５１】
投写レンズ５６の瞳面５７と第２レンズアレイ５２面とは略共役関係となる。
【００５２】
図５は、投写レンズ５６の出射側から見た瞳面５７の様子を模式的に示したものである。破線は第２レンズアレイの外形を示す仮想線である。本来、投写レンズ５６が照明光を損失すること無く取り込むためには、少なくとも点線で示す円５８０に相当する大きさの瞳面が必要になる。しかし、投写レンズの小型化、低コスト化のためには、瞳面はできる限り小さい方が好ましい。
【００５３】
集光レンズ５０は、上述の作用により発光体像４０ｃ、４１ｃを瞳面５７の中心部ほど大きく、周辺部ほど小さくする。仮に、周辺部の発光体像を取り込まないとしても大きな損失にはならない。それ故、瞳面５７は実線で示す円５９とすれば損失を最小限に抑えながら、投写レンズを小型化、低コスト化できる。
【００５４】
また、図２３に示す従来の構成例のような投写レンズの瞳面での発光体像（図２４参照）と比べて、図４，図５に示す通り、本実施の形態の場合、光軸５８に対して２つの発光体像４０ｃ，４１ｃが、投写レンズ５６上で光軸５８に対してほぼ対称に形成されていることがわかる。それ故、例えば、１つのランプが不点灯になった場合であっても、大きな明るさむらを生じることは無い。
【００５５】
凹面鏡と反射プリズムの間に配置した平面ミラーは、コールドミラーであっても良い。
【００５６】
コールドミラーは、赤外光を透過し可視光を反射するので、反射プリズムや集光レンズの発熱を抑制できる。
【００５７】
反射プリズムは、図６に示すような全反射面６０、６１を備えた直角プリズム６２、６３であっても良い。全反射を利用すれば反射率を高くすることができるので、効率が向上する。この場合、プリズムは耐熱性の高い石英ガラスで作製すれば信頼性を向上できる。
【００５８】
集光レンズを耐熱性の高い樹脂で作製すれば低コスト化、軽量化できる。
第２レンズアレイは第１レンズアレイと同一形状であることに限定するものではない。
【００５９】
また、ビーム合成レンズを配置する代わりに第２レンズアレイの各レンズを適切に偏心した構成であっても良い。
【００６０】
本実施の形態では集光レンズに一枚の非球面両凸レンズを使用した例を示したが、これに限定するものではない。上述の作用を有するものであれば、例えば、球面レンズや、複数のレンズで構成したものであっても本発明の集光レンズとして用いることができる。
【００６１】
以上のように、複数のランプを用いても、投写レンズ瞳面に形成される発光体像が光軸に対しておよそ対称に配置され、照明光の照度均一性および色均一性が良く、光利用効率の高い照明装置が構成できる。また、照明光の光束密度を制御する集光レンズを配置し、投写レンズの瞳面には光軸近傍部ほどより大きな発光体像が形成されるので、この照明装置を用いれば比較的Ｆナンバの大きな投写レンズを用いることが可能となり、小型で低コストな投写型表示装置が構成できる。
（照明装置の実施の形態２）
図７は、本発明にかかる照明装置の第２の実施の形態を示す構成例である。
【００６２】
ランプから集光レンズに至る構成は、図１に示したものと同様である。図１と異なるのは、偏光分離手段としての偏光分離プリズムアレイ７２と、偏光回転手段としての１／２波長板７３を備えていることである。７０は第１レンズアレイ、７１は第２レンズアレイ、７４はビーム合成レンズ、７５はフィールドレンズ、７６は偏光を利用して光を変調する液晶パネル、７７は投写レンズ、７８は投写レンズの瞳面である。
【００６３】
本実施の形態の効果は、図１に示したものと以下の点で異なる。
【００６４】
図８は、偏光分離プリズムアレイ７２と１／２波長板７３の構成例を示す。偏光分離プリズムアレイ７２は、偏光分離プリズム８０を発光体の配列方向と垂直な方向、すなわち液晶パネル７６の短軸方向に複数配列して構成する。偏光分離プリズム８０は第２レンズアレイ７１の短軸方向のレンズピッチの約１／２のピッチで配列する。偏光分離プリズム８０の接合面には、偏光分離膜８１を配置する。さらに、偏光分離プリズムアレイ７２の出射側には、偏光分離プリズム８０の２倍のピッチで１／２波長板７３を配置する。
【００６５】
偏光分離プリズムアレイ７２と１／２波長板７３の作用を、図９を用いて説明する。
【００６６】
第２レンズアレイ７１の１つの矩形レンズ９０に着目する。矩形レンズ９０を出射した光は、１つの偏光分離プリズム９１に入射し、偏光分離膜９２によりＰ偏光は透過し、Ｓ偏光は反射する。反射したＳ偏光の光は、隣の反射膜９３に入射し、再び反射され、１／２波長板７３に入射する。１／２波長板７３は入射光の偏光方向を９０°回転するように配置してあり、入射したＳ偏光の光をＰ偏光に変換する。
【００６７】
偏光分離プリズムアレイ７２と１／２波長板７３により自然光を１つの偏光方向の光に変換した光は、ビーム合成レンズ７４に入射し、液晶パネル７６上に重畳されて液晶パネル７６を均一に照明する。この場合の液晶パネル７６の入射側には偏光軸をＰ偏光にあわせた偏光板が備えてあり、従来、入射側偏光板で損失となっていた一方の偏光方向の光を利用できるため、液晶パネル７６を照明する有効な光量を増大できる。
【００６８】
フィールドレンズ７５は、液晶パネル７６上を照明する光を投写レンズ７７の瞳面７８に集光するためのものである。投写レンズ７７の瞳面７８と第２レンズアレイ７１面とは略共役関係となる。
【００６９】
図１０は、投写レンズ７７の出射側から見た瞳面７８の様子を模式的に示したものである。破線は第２レンズアレイの外形を示す仮想線である。瞳面７８には、発光体４０ａ、４１ａの像として、偏光分離プリズムアレイ７２をそのまま透過する光の発光体像４９Ｐと、偏光分離プリズムアレイ７２で反射されて１／２波長板７３を通過する光の発光体像４９Ｓが短軸方向に交互に形成される。このように、２つの発光体４０ａ、４１ａの像を矩形レンズの長軸方向に配列し、それぞれに対応するＰ偏光、Ｓ偏光の像４９Ｐ、４９Ｓを矩形レンズの短軸方向に配列することにより、第２レンズアレイ７１、偏光分離プリズムアレイ７２上での発光体像のケラレが小さくなり、光損失を低減できる。
【００７０】
瞳面として必要十分な大きさは、図１０に点線で示す円１００であるが、集光レンズ５０に作用により、周辺部の発光体像ほど小さくしているので、実線で示す円１０１を瞳面としても損失を最小限に抑えながら、投写レンズを小型化、低コスト化できる。
【００７１】
以上のように、複数のランプを用いても、投写レンズ瞳面に形成される発光体像が光軸に対しておよそ対称に配置され、照明光の照度均一性および色均一性が良く、光利用効率の高い照明装置が構成できる。また、照明光の光束密度を制御する集光レンズを配置し、投写レンズの瞳面には光軸近傍部ほどより大きな発光体像が形成されるので、比較的Ｆナンバの大きな投写レンズを用いることが可能となり、小型で低コストな投写型表示装置が構成できる。さらに、自然光を一方向の偏光の光に変換する光学要素を配置するため、この照明装置を用いれば光利用効率が極めて高く、高輝度な投写型表示装置を構成できる。
（照明装置の実施の形態３）
図１１は、本発明にかかる照明装置の第３の実施の形態を示す構成例である。
【００７２】
ランプから反射プリズムに至る構成、第１レンズアレイから液晶パネルに至る構成は、図１に示したものと同様である。図１と異なるのは、集光レンズ５０に代わって集光手段としての入力側レンズ１１０、出力側レンズ１１１が配置されていることである。１１２は投写レンズ、１１３は投写レンズの瞳面である。
【００７３】
本実施の形態の効果は、図１に示したものと以下の点で異なる。
図１２を用いて入力側レンズ１１０と、出力側レンズ１１１の作用を説明する。図１２は、入力側レンズ１１０と、出力側レンズ１１１における、入射光束の進行方向の制御の仕方を説明するための概念図である。
【００７４】
入力側レンズ１１０は、例えば、入射面は平面で、出射面は周辺部で正のワパーを有し、光軸近傍では周辺部に比べて緩やかなパワーを有する。それ故、入射光は光軸近傍ではほとんど進行方向を変えずにそのまま直進し、周辺部では大きく屈折作用を受けて略平行光に変換される。
【００７５】
出力側レンズ１１１は、例えば、入射面は平面で、出射面は光軸近傍で正のパワーを有し、周辺部では光軸近傍に比べて緩やかなパワーを有する。それ故、入射光は光軸近傍では屈折作用を受けて略平行光に変換され、周辺部ではほとんど進行方向を変えずにそのまま直進する。
【００７６】
二次光源４９から放射される発散光は、入力側レンズ１１０と出力側レンズ１１１を通過する際に進行方向を制御され、略平行光に変換されて出力側レンズ１１１から出射する。
【００７７】
ここで、各レンズ１１０、１１１における、上記制御の仕方の概念を分かりやすく説明するために、図１２に示す様に、便宜上、出射光束の断面を４つの領域に分割した図を用いる。
【００７８】
同図に示す通り、入射光束の各領域における光束密度をＳ１、Ｓ２、Ｓ３、Ｓ４、出射光束の各領域における光束密度をＳＳ１、ＳＳ２、ＳＳ３、ＳＳ４とすると、入力側レンズ１１０と出力側レンズ１１１は、例えば、Ｓ１＞ＳＳ１、Ｓ２＞ＳＳ２、Ｓ３＝ＳＳ３、Ｓ４＜ＳＳ４とし、さらにＳＳ１＝ＳＳ２＝ＳＳ３＝ＳＳ４となるように入射光束の進行方向を制御して出射させる。これにより出力側レンズ１１１からは、光軸１１４からの距離に関係なく密度の均一な平行光束が出射する。
【００７９】
上述の作用により次のような利点がある。一般に、第１レンズアレイ５１に密度の不均一な光束が入射すると、第２レンズアレイ５２の各レンズ上に形成される発光体像の大きさが不均一になり、光束密度の大きい領域ほどより大きな発光体像が形成される。ランプの発光体サイズが比較的小さい場合は問題ないが、発光体サイズが大きくなると、発光体像も比例して大きくなり、場合によっては、各レンズの開口の大きさよりも大きな発光体像が形成されることになり、光損失を発生する。
【００８０】
入力側レンズ１１０、出力側レンズ１１１により第１レンズアレイ５１の入射光束の密度をおよそ均一にすれば、発光体像の大きさもおよそ均一にできるので、発光体サイズに関係なく、上述のような光損失を大幅に低減できる。
【００８１】
投写レンズ１１２の瞳面１１３と第２レンズアレイ５２面とは略共役関係となる。図１３は、投写レンズ１１２の出射側から見た瞳面１１３の様子を模式的に示したものである。破線は第２レンズアレイの外形を示す仮想線である。また、瞳面は実線の円１３０で示すように、全ての発光体像４０ｄ、４１ｄを十分取り込むだけの大きさを有する。入力側レンズ１１０と出力側レンズ１１１の作用により瞳面にはおよそ均一な発光体像４０ｄ、４１ｄが形成される。
【００８２】
以上のように、複数のランプを用いても、投写レンズの瞳面に形成される発光体像が光軸に対しておよそ対称に配置され、照明光の照度均一性および色均一性が良く、光利用効率の高い照明装置が構成できる。また、照明光の光束密度を制御する入力側レンズと出力側レンズを配置し、発光体像の大きさをおよそ均一にできるので、比較的発光体サイズの大きなランプを用いる場合であっても、第２レンズアレイの各レンズ開口上で発生する光損失を抑制でき、光利用効率の高い照明装置が構成できる。また、この照明装置を用いれば光利用効率が極めて高く、高輝度な投写型表示装置が構成できる。
（照明装置の実施の形態４）
図１４は、本発明にかかる照明装置を用いた投写型表示装置の第４の実施の形態を示す構成例である。
【００８３】
ランプ４０、４１から出力側レンズ１１１に至る構成は、図１１に示したものと、また、第１レンズアレイ７０から液晶パネル７６に至る構成は、図７に示したものと同様である。１４０は投写レンズ、１４１は投写レンズの瞳面である。
【００８４】
入力側レンズ１１０、出力側レンズ１１１は、二次光源４９から放射される発散光をおよそ光束密度が均一な略平行光に変換する。第１レンズアレイ７０から液晶パネル７６に至る要素は、実施の形態２で説明した作用により、出力側レンズ１１１の出射光を効率良く液晶パネル７６に導き、液晶パネル７６を均一に照明する。
【００８５】
図１５は、投写レンズ１５０の出射側から見た瞳面１５１の様子を模式的に示したものである。破線は第２レンズアレイの外形を示す仮想線である。瞳面１５１には、二次発光体４９の像として、偏光分離プリズムアレイ７２をそのまま透過する光の二次発光体像１５１と、偏光分離プリズムアレイ７２で反射されて１／２波長板７３を通過する光の二次発光体像１５２が短軸方向に交互に形成される。
以上のように、複数のランプを用いても、投写レンズ瞳面に形成される発光体像が光軸に対しておよそ対称に配置され、照明光の照度均一性および色均一性が良く、光利用効率の高い照明装置が構成できる。また、照明光の光束密度を制御する入力側レンズと出力側レンズを配置し、発光体像の大きさをおよそ均一にできるので、比較的発光体サイズの大きなランプを用いる場合であっても、第２レンズアレイの各レンズ開口上で発生する光損失を抑制でき、光利用効率の高い照明装置が構成できる。さらに、自然光を一方向の偏光の光に変換する光学要素を配置するため、この照明装置を用いれば光利用効率が極めて高く高輝度な投写型表示装置を構成できる。
（投写型表示装置の実施の形態１）
図１６は、本発明にかかる投写型表示装置の第１の実施の形態を示す構成例である。
【００８６】
ランプ４０、４１から集光レンズ５０に至る要素は、図１に示した照明装置の構成と同様である。
【００８７】
１６０は第１レンズアレイ、１６１は第２レンズアレイ、１６２はフィールドレンズ、１６３は液晶パネル、１６４は投写レンズ、１６５は投写レンズの瞳面、１６６はスクリーンである。
【００８８】
照明装置の第１の実施の形態と同様に、集光レンズ５０からは光軸近傍ほど密度の高い光束が出射する。第１レンズアレイ１６０は液晶パネル１６３と相似形状の矩形レンズを二次元状に配列して構成し、集光レンズ５０の出射光束を多数の微小光束に分割して、それらを第２レンズアレイ１６１上に集光する。第２レンズアレイ１６１は、各微小光束を拡大して、それらを液晶パネル１６３上で重ね合わせる。このため、第２レンズアレイ１６１を構成する各矩形レンズは、適切に偏心させてある。
【００８９】
液晶パネル１６３は、赤、緑、青のカラーフィルタを備えたアクティブマトリクス方式のカラー液晶パネルであり、映像信号に応じた画素への引加電圧の制御により光を変調し、カラーの光学像を形成する。フィールドレンズ１６２は、液晶パネル１６３上を照明する光を投写レンズ１６４の瞳面１６５に集光するためのものである。液晶パネル１６３を透過した光は、投写レンズ１６４によりスクリーン１６６上に拡大投写される。投写レンズ１６４の瞳面１６５には、図５に示したような発光体像が光軸１６７に対しておよそ対称な位置に形成される。
【００９０】
以上のように、２つのランプを用いた照明装置として、図１に示した照明装置を用い  ることで、２つのランプからの光を非常に効率良く液晶パネルに導き、均一に照明できる。
【００９１】
従って、均一性が良く、光利用効率の高い投写型表示装置が構成できる。１枚の液晶パネルを用いて構成するため、小型で低コストな投写型表示装置が構成できる。
【００９２】
照明装置は、図１６に示す構成に限定するものではなく、例えば、照明装置として、第２から第４の発明の実施の形態の照明装置を用いても良い。
【００９３】
（投写型表示装置の実施の形態２）
図１７は、本発明にかかる投写型表示装置の第２の実施の形態を示す構成例である。
【００９４】
ランプ４０、４１からビーム合成レンズ７４に至る要素は、図１４に示した照明装置の構成と同様である。ただし、入力側レンズ１１０と出力側レンズ１１１の間に平面ミラー１７０を配置して光路を折り曲げている。
【００９５】
１７１、１７２はそれぞれ赤緑反射、緑反射のダイクロイックミラー、１７３はダイクロイックミラーから構成される色分離手段、１７４、１７５、１７６は平面ミラー、１７７、１７８はリレーレンズ、１７９、１８０、１８１はフィールドレンズ、１８２、１８３、１８４は液晶パネル、１８５はダイクロイックプリズム、１８６、１８７はそれぞれダイクロイックプリズム１８５を構成する青反射、赤反射のダイクロイックミラー、１８８は投写レンズ、１８９は投写レンズの瞳面である。
【００９６】
ランプ４０、４１からビーム合成レンズ７４に至る照明装置から出射した光は、色分離光学系１７３に入射する。色分離光学系１７３に入射した光は、赤緑反射のダイクロイックミラー１７１、緑反射のダイクロイックミラー１７２により、赤、緑、青の３原色光に分離される。青、緑の色光はそれぞれフィールドレンズ１７９、１８０を透過し、液晶パネル１８２、１８３に入射する。赤の色光はリレーレンズ１７７、１７８、フィールドレンズ１８１を透過して、液晶パネル１８４に入射する。平面ミラー１７４、１７５、１７６はそれぞれ青及び赤の光路中に配置され、各光路を折り曲げている。３枚の液晶パネル１８２、１８３、１８４はアクティブマトリクス方式であって、映像信号に応じた画素への引加電圧の制御により光を変調し、それぞれ青、緑、赤の光学像を形成する。液晶パネル１８２、１８３、１８４を透過した光は、色合成光学系であるダイクロイックプリズム１８５により合成され、投写レンズ１８８によりスクリーン（図示せず）上に拡大投写される。投写レンズ１８８の瞳面１８９には、例えば、図１５に示したような大きさの均一な発光体像が光軸１９０に対しておよそ対称な位置に形成される。
【００９７】
以上のように、２つのランプを用いた照明装置として、図１４に示した照明装置を用いることで、２つのランプからの光を非常に効率良く液晶パネルに導き、均一に照明できる。従って、均一性が良く、光利用効率の高い投写型表示装置が構成できる。３枚の液晶パネルを用いて構成するため、明るく高精細な投写型表示装置が構成できる。
【００９８】
照明装置は、図１７に示す構成に限定するものではなく、例えば、照明装置として、第１から第３の発明の実施の形態の照明装置を用いても良い。
（投写型表示装置の実施の形態３）
図１８は、本発明にかかる投写型表示装置の第３の実施の形態を示す構成図である。
【００９９】
本発明の投写型表示装置は、主として光源ユニットに関わるもので、特に説明に必要のない要素に関しては省略する。
【０１００】
１９１、１９２はファン、１９７、１９８は凹面鏡固定枠、１９９は光源ハウス、２００は光源ハウス取り付け台、２０１は筐体である。
【０１０１】
ランプ４０、４１、凹面鏡４２、４３、液晶パネル５５、投写レンズ５６は、図１に示したものと同様である。凹面鏡４２、４３と液晶パネル５５の間には、例えば、図１に示したような構成の照明光学系が配置され、液晶パネル５５を効率よく、かつ均一に照明する。
【０１０２】
ランプ４０、４１は、それぞれ接着剤１９３、１９４により凹面鏡４２、４３に固定する。接着剤１９３、１９４には、スミセラム（朝日化学工業製）等の無機質耐熱性接着剤を用いる。凹面鏡４２、４３は、それぞれ固定金具１９５、１９６により凹面鏡固定枠１９７、１９８に固定し、更に凹面鏡固定枠１９７、１９８は共通の光源ハウス１９９に取り付ける。
【０１０３】
筐体２０１には、光源ハウス取り付け台２００が固定されており、これに光源ハウス１９９を取り付ける。筐体２０１の側面部には、光源ハウス１９９を挿入するための光源ハウス挿入口２０２を設けている。
【０１０４】
光源ハウス１９９は、光源ハウス取り付け台２００に対して自由に取り外しが可能であり、更に、凹面鏡固定枠１９７、１９８は、光源ハウス１９９に対して自由に取り外しが可能な構成になっている。
【０１０５】
図１９は、凹面鏡と凹面鏡固定枠の構成の一例を示す概略立体図である。ランプ４０が固定された凹面鏡４２は、凹面鏡固定枠１９７に固定する。凹面鏡固定枠１９７の前面には凹面鏡４２の出射側開口部に合わせた出射窓２０３が、また、背面には冷却のための通風口２０４、及び脱着用金具２０５が、更に、上面にはランプ４０へ電力を供給するために電源部との接続を行うコネクタ２０６を設けている。コネクタ２０６は、例えば、波線で示した位置に取り付けることもできる。ランプ４０の先端の一方にはリード線２０７を接続し、他方には口金２０８を設けている。リード線２０７、口金２０８には、それぞれ延長用のコード線２０９、２１０を接続し、コード線２０９、２１０の多端はコネクタ２０６に接続する。
【０１０６】
ランプ４１、凹面鏡４３についても、同様にして凹面鏡固定枠１９８に固定する。ただし、コネクタ２０６は、凹面鏡固定枠１９７、１９８で互いに異なる位置に配置する。
【０１０７】
例えば、凹面鏡固定枠１９７のコネクタ２０６は実線の位置に、また凹面鏡固定枠１９８のコネクタ２０６は破線の位置に配置する。
【０１０８】
図２０は、光源ハウス１９９の構成の一例を示す立体図である。光源ハウス１９９の前面には、凹面鏡固定枠１９７、１９８の出射窓に合わせた出射窓２１１、２１２を、側面には脱着用金具２１３を、また、内側の中央部には凹面鏡固定枠１９７、１９８をそれぞれ分離するための仕切板２１４を設けている。更に、凹面鏡固定枠１９７、１９８に設けたコネクタ２０６を突出させるための切り込み２１５を設けている。凹面鏡固定枠１９７、１９８は、光源ハウス１９９の背面の開口部から矢印で示した方向に挿入する。
【０１０９】
ランプと凹面鏡が固定された複数の凹面鏡固定枠１９７、１９８を共通の光源ハウス１９９に挿入して固定し、更に、光源ハウス１９９を筐体２０１に固定した光源ハウス取り付け台２００に挿入して固定する。光源ハウス１９９を光源ハウス取り付け台２００に挿入した際に、凹面鏡固定枠１９７、１９８にそれぞれ設けたコネクタ２０６が、本体の電源に接続されるようにすれば、光源に電力を供給することができる。
【０１１０】
上記構成によれば、凹面鏡固定枠１９７、１９８はそれぞれ光源ハウス１９９に対して取り外しが可能であり、光源ハウス１９９は光源ハウス取り付け台２００に対して取り外しが可能である。それ故、複数のランプ用いる場合であっても、筐体の側面には、光源ハウス挿入口を１つだけ設ければ良い。筐体側面部にはその他、電源用コンセント、ビデオ入力端子、パソコン用の信号入力端子等を配置するスペースが必要であり、これらを配置するために十分なスペースを確保できる、という利点がある。
【０１１１】
（投写型表示装置の実施の形態４）
図２１は、本発明にかかる投写型表示装置の第４の実施の形態を示す構成図である。
【０１１２】
本発明の投写型表示装置は、主として光源ユニットの冷却に関わるもので、特に説明に必要のない要素に関しては省略する。
【０１１３】
２２０はファンであり、それ以外は全て図１８で示した構成と同様である。
【０１１４】
ファン２２０は、図２２に示すように、ランプ４０、４１の配列方向に適切な長さの回転軸２２１有し、回転軸２２１の周りに複数の送風羽ね２２２を備えて構成する。このようなファン２２１として、例えばクロスフローファン等を用いることができる。回転軸２２１の長さは、光源ハウス１９９の長さとおよそ等しくすればよい。
【０１１５】
上記構成によれば、複数のランプを用いる場合であっても、それぞれのランプにファンを設けること無く、効率よくランプを冷却することができるので、ファンの数を必要最小限に抑えることができる。それ故、投写型表示装置を小型化、低電力化することができる。
【０１１６】
なお、上述の投写型表示装置では、画像形成手段として透過型の液晶パネルを用いた例を示したが、これに限定するものではなく、例えば、反射型の液晶パネルや、複数の微小ミラーにより光を変調するミラー型デバイスを用いても良い。また、投写型表示装置としてはフロント二体型、リア一体型、いずれの構成であっても本発明の効果を得ることができる。
【０１１７】
又、上述した実施の形態では、本発明の凹面鏡に対応する楕円面鏡と、本発明の反射手段に対応する反射プリズムとの間に光路を折り曲げる平面ミラーを配置した場合について述べたが、これに限らず例えば、平面ミラーを配置しない構成でも良い。この場合の構成は、例えば、図１を用いて説明すると、同図に示す放電ランプ４０，４１を、楕円面鏡４２，４３からの光が直接反射手段４８に入射するように、それぞれ９０度回転させた位置に配置することにより実現出来る。これにより、部品点数の削減となる他、装置内部における各部品の配置の自由度も向上し得る。
【０１１８】
以上述べたところから明らかなように上記実施の形態によれば、複数のランプを用いても、投写レンズ瞳面に形成される発光体像が光軸に対しておよそ対称に配置され、照明光の照度均一性および色均一性が良く、光利用効率の高い照明装置が構成できる。
【０１１９】
また、上記実施の形態によれば、画像形成手段を比較的強い光で照明し、投写画像の輝度を高めることができる、という長所を有する。万一、一個のランプが不点灯となった場合でも、色むら、明るさむらの少ない投写画像を表示することができる。また、筐体に設けるランプ交換用の挿入口、及び冷却に必要となるファンの数を必要最小限に押さえることができるので、コンパクトで消費電力の少ない投写型表示装置を実現することができる。
【０１２０】
【発明の効果】
以上述べたところから明らかなように本発明は、複数のランプを用いた場合であっても、各ランプの放射光を効率良く集光し、均一性の高い照明光を形成することの出来るという長所を有する。
【０１２１】
又、本発明は、明るく、高画質な投写画像を表示することが出来るという長所を有する。
【０１２２】
又、本発明は、複数のランプを効率良く冷却し、ランプ交換を容易に行うことが出来るという長所を有する。
【図面の簡単な説明】
【図１】（ａ）：本発明の照明装置の一実施の形態を示す概略構成図
（ｂ）：図１（ａ）に示す反射プリズム部分の拡大図
【図２】集光レンズの作用を説明する概念図
【図３】第１レンズアレイの構成の一例を示す概略構成図
【図４】第２レンズアレイ上の発光体像の一例を示す概略模式図
【図５】投写レンズの瞳面上の発光体像の一例を示す概略模式図
【図６】反射プリズムの他の構成を示す概略構成図
【図７】本発明の照明装置の他の一実施の形態を示す概略構成図
【図８】偏光分離プリズムアレイの構成の一例を示す概略構成図
【図９】偏光分離プリズムアレイの作用を説明する説明図
【図１０】投写レンズの瞳面上の発光体像の他の一例を示す概略模式図
【図１１】本発明の照明装置の更に他の一実施の形態を示す概略構成図
【図１２】入力側レンズと出力側レンズの作用を説明する概念図
【図１３】投写レンズの瞳面上の発光体像の他の一例を示す概略模式図
【図１４】本発明の照明装置の更に他の一実施の形態を示す概略構成図
【図１５】投写レンズの瞳面上の発光体像の他の一例を示す概略模式図
【図１６】本発明の投写型表示装置の一実施の形態を示す概略構成図
【図１７】本発明の投写型表示装置の他の一実施の形態を示す概略構成図
【図１８】本発明の投写型表示装置の更に他の一実施の形態を示す概略構成図
【図１９】凹面鏡固定枠の構成の一例を示す概略構成斜視図
【図２０】光源ＢＯＸの構成の一例を示す概略構成斜視図
【図２１】本発明の投写型表示装置の更に他の一実施の形態を示す概略構成図
【図２２】冷却ファンの構成の一例を示す概略構成斜視図
【図２３】従来の投写型表示装置の構成の一例を示す概略構成図
【図２４】投写レンズの瞳面上の発光体像の従来の一例を示す概略模式図
【符号の説明】
ランプ                    ４０、４１
楕円面鏡                  ４２、４３
反射プリズム              ４８
集光レンズ                ５０
第１レンズアレイ          ５１、７０、１６０
第２レンズアレイ          ５２、７１、１６１
ビーム合成レンズ          ５３、７４
フィールドレンズ          ５４，７５、１６２、１７９、１８０、１８１
液晶パネル                ５５、７６、１６３、１８２、１８３、１８４
投写レンズ                ５６、７７、１６４、１８８
偏光分離プリズムアレイ    ７２
１／２波長板              ７３
入力側レンズ              １１０
出力側レンズ              １１１
ファン                    １９１、１９２、２２０
凹面鏡固定枠              １９７、１９８
光源ハウス                １９９
光源ハウス取り付け台      ２００
筐体                      ２０１
【図１】
0003581568.tif 000002
【図２】
0003581568.tif 000003
【図３】
0003581568.tif 000004
【図４】
0003581568.tif 000005
【図５】
0003581568.tif 000006
【図６】
0003581568.tif 000007
【図７】
0003581568.tif 000008
【図８】
0003581568.tif 000009
【図９】
0003581568.tif 000010
【図１０】
0003581568.tif 000011
【図１１】
0003581568.tif 000012
【図１２】
0003581568.tif 000013
【図１３】
0003581568.tif 000014
【図１４】
0003581568.tif 000015
【図１５】
0003581568.tif 000016
【図１６】
0003581568.tif 000017
【図１７】
0003581568.tif 000018
【図１８】
0003581568.tif 000019
【図１９】
0003581568.tif 000020
【図２０】
0003581568.tif 000021
【図２１】
0003581568.tif 000022
【図２２】
0003581568.tif 000023
【図２３】
0003581568.tif 000024
【図２４】
0003581568.tif 000025